(57)【特許請求の範囲】
【請求項１】
外部から給水される水を供給するための経路であり、該経路の一部分に潜熱を回収する熱交換器を備えた給湯路と、
通水弁を介して前記給湯路から供給された湯水を浴槽側に通水させる通水路と、
前記浴槽に貯留された湯水を循環ポンプで循環させて前記浴槽へと戻す経路であり、該経路の一部分に熱交換器を備えると共に、該経路における一部の区間が前記通水路からの湯水を前記浴槽へと導く共有区間となっている循環路と、
前記熱交換器から発生するドレンを貯留するドレンタンクと、
を備えた給湯器に備えられるドレン排出装置であって、
前記ドレンタンクへと湯水を流入させるための流入路、および、前記ドレンタンクからドレンを排出させるための排出路それぞれを前記循環路に連通させ、該連通部における湯水の流通方向を切り替えることにより、該連通部を介した流通経路を形成する経路形成部と、
前記通水弁により前記通水路を閉鎖させ、かつ、前記排出路から前記連通部を経て前記循環路の下流側へと至る流通経路を前記経路形成部に形成させた状態で、前記循環ポンプを作動させることにより、前記ドレンタンクから前記連通部を介して前記循環路へと、該ドレンタンクに貯留されたドレンを流通させる排出制御手段と、
前記連通部における前記循環路の下流側から前記流入路へと至る流通経路を前記経路形成部に形成させた状態で、前記通水弁により前記通水路を開放させて通水を行うことにより、前記循環路の下流側に向けて湯水を流通させると共に、前記循環路から前記連通部を介して前記ドレンタンクへと、湯水を流通させる洗浄制御手段と、を備えている
ことを特徴とするドレン排出装置。
【請求項２】
前記ドレンタンクに貯留されたドレンの量を検出するドレン検出手段、を備え、
前記排出制御手段は、前記ドレン検出手段により検出されるドレンの量が所定の上限に到達した際に、前記ドレンタンクから前記循環路へのドレンの流通を開始させる
ことを特徴とする請求項１に記載のドレン排出装置。
【請求項３】
前記排出制御手段は、前記ドレンタンクに貯留されたドレンの量が０より大きい値として規定された下限となるまでの間、前記ドレンタンクから前記循環路へとドレンを流通させる
ことを特徴とする請求項１または請求項２に記載のドレン排出装置。
【請求項４】
前記ドレンタンクには、前記流入路における端部開口が、該ドレンタンク内部における底面から所定高さ離れた位置に接続されている
ことを特徴とする請求項１から請求項３のいずれかに記載のドレン排出装置。
【請求項５】
前記流入路は、前記ドレンタンク内部にまで侵入しており、当該流入路を内外に連通する開口が、少なくとも該ドレンタンク内部における底面から所定高さ離れた位置に形成されている
ことを特徴とする請求項１から請求項３のいずれかに記載のドレン排出装置。
【請求項６】
前記排出制御手段は、前記洗浄制御手段による湯水の流通後、前記通水弁により前記通水路を閉鎖させ、かつ、前記ドレンタンクから前記連通部を経て前記循環路の下流側へと至る流通経路を前記経路形成部に形成させた状態で、前記循環ポンプを作動させることにより、前記ドレンタンクから前記連通部を介して前記循環路へと、該ドレンタンクに貯留された湯水を流通させる
ことを特徴とする請求項１から５のいずれかに記載のドレン排出装置。
【請求項７】
前記流入路および前記排出路それぞれと前記循環路との連通部は、前記流入路および前記排出路それぞれを合流させて前記循環路に到達させる合流経路を有し、
前記経路形成部は、少なくとも、第１経路形成弁と、第２経路形成弁と、を有し、
前記第１経路形成弁は、前記循環路と前記合流経路との連通部を、少なくとも、前記循環路における上流側および下流側の一方から他方へと至る流通経路、前記合流経路および前記循環路における下流側の一方から他方へと至る流通経路、のいずれかへと切り替える弁体であり、
前記第２経路形成弁は、前記排出路において、前記合流経路から前記ドレンタンクへと向かう湯水の流通を阻止する弁体であり、
前記排出制御手段は、前記通水弁により前記通水路を閉鎖させた状態で、前記第１経路形成弁により、前記循環路と前記合流経路との連通部を、前記合流経路および前記循環路における下流側の一方から他方へと至る流通経路に切り替えさせた後、前記循環ポンプを作動させることにより、前記ドレンタンクから前記排出路および前記連通部を介して前記循環路へと、該ドレンタンクに貯留されたドレンを流通させて、
前記洗浄制御手段は、前記通水弁により前記通水路を開放させて通水を行うことにより、前記循環路から前記連通部および前記流入路を介して前記ドレンタンクへと湯水を流通させる
ことを特徴とする請求項１から６のいずれかに記載のドレン排出装置。
【請求項８】
前記経路形成部は、少なくとも、前記第１経路形成弁と、前記第２経路形成弁と、第３経路形成弁と、を有し、
前記第３経路形成弁は、前記流入路において、前記ドレンタンクから前記合流経路へと向かう湯水の流通を阻止する弁体である
ことを特徴とする請求項７に記載のドレン排出装置。
【請求項９】
外部から給水される水を供給するための経路であり、該経路の一部分に潜熱を回収する熱交換器を備えた給湯路と、
通水弁を介して前記給湯路から供給された湯水を浴槽側に通水させる通水路と、
前記浴槽に貯留された湯水を循環ポンプで循環させて前記浴槽へと戻す経路であり、該経路の一部分に熱交換器を備えると共に、該経路における一部の区間が前記通水路からの湯水を前記浴槽へと導く共有区間となっている循環路と、
前記交換器から発生するドレンを貯留するドレンタンクと、
請求項１から８のいずれかに記載のドレン排出装置と、
を備えることを特徴とする給湯器。
【発明の詳細な説明】
【技術分野】
【０００１】
本発明は、給湯器の内部で発生するドレンを排出するドレン排出装置、および、このドレン排出装置を備えた給湯器に関する。
【背景技術】
【０００２】
浴槽への給湯を行うための給湯器には、潜熱を回収するための熱交換器によって、外部から給水された水を加熱する構成のものがある。この構成の給湯器においては、潜熱を回収する際にドレンが発生するため、これを回収して排出できるようにすべく、ドレンタンクなどを備えていることが一般的である。
【０００３】
また、近年では、浴槽の湯水を循環路で循環させながら再加熱する保温機能が備えられた給湯器において、この循環路によりドレンタンクに貯留されたドレンを自動的に排出するための技術が提案されている（特許文献１参照）。
【０００４】
この技術では、給水された水を加熱して浴槽まで通水させる通水路（２２〜２３）と、通水路の一部を共有区間（２３）として浴槽に貯留された湯水を循環させる循環路（２３〜２４）と、一の接続口がドレンタンクから延びるドレン排水路（５０）に接続され、残り二の接続口が循環路に接続されることでドレンタンクと循環路とを接続する三方弁（２９）と、循環路からドレンタンク側への逆流を阻止する逆止弁（５１）と、を備えている。
【０００５】
また、この技術では、浴槽内に湯水が存在しない状態で、三方弁によりドレンタンクから通水路側への流路を形成したうえで通水路の循環ポンプ（２６）を作動させ、ドレンタンクに貯留されたドレンを循環路、通水路を介して浴槽へと流通させることにより、ドレンの排出が実現される（特許文献１の図５参照）。
【先行技術文献】
【特許文献】
【０００６】
【特許文献１】特開２００８−８５８７号公報
【発明の概要】
【発明が解決しようとする課題】
【０００７】
上記技術では、三方弁によりドレン通路を閉鎖し循環路から通水路側への流路を形成した状態で循環ポンプを作動させる制御（引用文献１の図６；先パージ運転）と、三方弁により循環路を閉鎖しドレンタンクから通水路側への流路を形成した状態で通水路からの給水を行う制御（同図７；パージ運転）と、を順に行うことにより、循環路においてドレンの排出に使用された経路を洗浄できるようにしている。
【０００８】
しかしながら、先パージ運転では、循環路に残存する湯水を浴槽側に流動させているに過ぎず、循環路内を十分に洗浄できる程の湯水を流動させているとは言えない。このため、先パージ運転に続くパージ運転にて湯水が流通しない領域、すなわち、循環路におけるドレン通路との接続部から、通水路との共有部分までの領域については、洗浄が不十分になる問題点がある。
【０００９】
さらにいえば、ドレン排水路については、先パージ運転時においてもパージ運転時においても洗浄されることがない。このため、パージ運転の状態（同図７）、から湯張り運転の状態（同図３）への切り替え時等、三方弁によりドレン排水路と循環路が連通している状態から、切り離された状態への切り替えが行われる際に、ドレン排水路に存在するドレンが循環路側に流出してしまい、循環路を流通する湯水が汚染される恐れがある。
【００１０】
本発明は、このような課題を解決するためになされたものであり、その目的は、従来よりも、循環路および通水路においてドレンの排出に使用された経路を適切に洗浄できるようにするための技術を提供することである。
【課題を解決するための手段】
【００１１】
上記課題を解決するため第１の発明（請求項１）は、外部から給水される水を供給するための経路であり、該経路の一部分に潜熱を回収する熱交換器を備えた給湯路と、通水弁を介して前記給湯路から供給された湯水を浴槽側に通水させる通水路と、前記浴槽に貯留された湯水を循環ポンプで循環させて前記浴槽へと戻す経路であり、該経路の一部分に熱交換器を備えると共に、該経路における一部の区間が前記通水路からの湯水を前記浴槽へと導く共有区間となっている循環路と、前記熱交換器から発生するドレンを貯留するドレンタンクと、を備えた給湯器に備えられるドレン排出装置である。
【００１２】
そして、前記ドレンタンクへと湯水を流入させるための流入路、および、前記ドレンタンクからドレンを排出させるための排出路それぞれを前記循環路に連通させ、該連通部における湯水の流通方向を切り替えることにより、該連通部を介した流通経路を形成する経路形成部と、前記通水弁により前記通水路を閉鎖させ、かつ、前記排出路から前記連通部を経て前記循環路の下流側へと至る流通経路を前記経路形成部に形成させた状態で、前記循環ポンプを作動させることにより、前記ドレンタンクから前記連通部を介して前記循環路へと、該ドレンタンクに貯留されたドレンを流通させる排出制御手段と、前記連通部における前記循環路の下流側から前記流入路へと至る流通経路を前記経路形成部に形成させた状態で、前記通水弁により前記通水路を開放させて通水を行うことにより、前記循環路の下流側に向けて湯水を流通させると共に、前記循環路から前記連通部を介して前記ドレンタンクへと、湯水を流通させる洗浄制御手段と、を備えている。
【００１３】
この構成に係るドレン排出装置であれば、排出路から連通部を経て循環路の下流側へと至る流通経路を形成させた状態で、循環ポンプを作動させることにより、ドレンタンクから連通部を介して循環路へとドレンタンクに貯留されたドレンを流通させ、これを循環路の下流側から排出することができる。
【００１４】
そして、連通部における循環路の下流側から流入路へと至る流通経路を形成させた状態で、通水路からの通水を行うことにより、循環路から連通部を介してドレンタンクへと湯水を流通させることができる。こうして通水路から通水される湯水は、一部が循環路の下流側へ向かい、それ以外が循環路の上流側から連通部および流入路を経てドレンタンクへと向かうことになるため、この湯水により、ドレンタンクに貯留されていたドレンが通過した経路をそれぞれ適切に洗浄することができる。
【００１５】
この構成において、連通部を介して循環路へとドレンを流通させて排出する制御の開始のタイミングについては、特に限定されないが、例えば、所定の時間毎、所定時刻、熱交換器の動作状態、ドレンタンクに貯留されたドレン量などに応じて開始することとすればよい。
【００１６】
ここで、ドレンタンクに貯留されたドレン量に応じてドレンの排出を開始するためには、例えば、以下に示す第２の構成（請求項２）のようにすることが考えられる。
第２の構成では、前記ドレンタンクに貯留されたドレンの量を検出するドレン検出手段、を備え、前記排出制御手段は、前記ドレン検出手段により検出されるドレンの量が所定の上限に到達した際に、前記ドレンタンクから前記循環路へのドレンの流通を開始させる。
【００１７】
この構成であれば、ドレンタンクに貯留されたドレンの量が上限に達したタイミングでドレンタンクからのドレンの排出を開始することができる。
また、上記各構成において、上述したドレン排出を終了するタイミングについては、特に限定されないが、例えば、ドレン排出の継続時間、熱交換器の動作状態、ドレンタンクに貯留されたドレンの量などに応じて終了させることとすればよい。
【００１８】
ここで、ドレンタンクに貯留されたドレンの量に応じてドレンの排出を終了させるためには、例えば、以下に示す第３の構成（請求項３）のようにすることが考えられる。
第３の構成では、前記排出制御手段は、前記ドレンタンクに貯留されたドレンの量が０より大きい値として規定された下限となるまでの間、前記ドレンタンクから前記循環路へとドレンを流通させる。
【００１９】
この構成であれば、上述したドレンの排出が、ドレンタンクに貯留されたドレンの量が０より大きい下限値となったタイミングで終了することから、連通部を介して循環路へと至る一部経路および循環路にドレン（または湯水）が満たされた状態でドレンの排出を終了させることができる。
【００２０】
そのため、循環ポンプによる連続的な湯水の循環が循環路中の空気に妨げられる不具合（いわゆるエア噛みや、それによる異音の発生）を防止することができる。また、循環ポンプ内もドレン（又は湯水）で満たされるため、作動開始時に呼び水相当が必要な非自吸式ポンプを使用することができ、設計の幅を拡げることができる。
【００２１】
なお、この構成において、ドレン量が下限値となったか否かは、上記第２の構成のようにドレンの量を直接的に検出する方法に限らず、ドレン排出の継続時間、熱交換器の動作状態などに応じて間接的に検出（推定）する方法で判定してもよい。
【００２２】
また、ドレンの排出をドレンタンクに貯留されたドレンの量に応じて終了させるための構成としては、例えば、循環ポンプが上記エア噛みを検知して循環ポンプを停止させる手段を備えている場合であれば、ドレンの量が所定の下限値となったタイミングでエア噛みを意図的に引き起こすことで、ドレンの排出を終了させるようにすることが考えられる。
【００２３】
このためには、上記各構成を以下に示す第４の構成（請求項４）のようにするとよい。
第４の構成において、前記ドレンタンクには、前記流入路における端部開口が、該ドレンタンク内部における底面から所定高さ離れた位置に接続されている。
【００２４】
この構成であれば、ドレンタンク内部における底面から所定高さ離れた位置に、流入路における端部開口が接続されているため、ドレンタンクに貯留されたドレンの液面が、開口端部より下方に位置するまでドレン量が減少すると、この開口端部からドレンタンク内部の空気が流入路を介して連通部に向かうことになる。この際、循環ポンプが作動していることから、連通部に到達した空気が周辺のドレンと共に循環ポンプまで到達する結果、この空気によるエア噛みを検知して循環ポンプを停止させることができる。
【００２５】
このようなことから、上記構成では、流入路における端部開口の接続位置を、ドレン排出を終了させるべきドレン量に応じた位置とすることにより、ドレンの排出をドレンタンクに貯留されたドレン量が所望の下限値となったタイミングで終了させることができるようになる。
【００２６】
また、ドレン量が所定の下限値となったタイミングでエア噛みを意図的に引き起こしてドレンの排出を終了させるための構成としては、上記第１〜第３の構成を以下に示す第５の構成（請求項５）のようにしてもよい。
【００２７】
第５の構成において、前記流入路は、前記ドレンタンク内部にまで侵入しており、前記流入路を内外に連通する開口が、少なくとも該ドレンタンク内部における底面から所定高さ離れた位置に形成されている。
【００２８】
この構成であれば、ドレンタンク内部における底面から所定高さ離れた位置に、流入路の内外を連通する開口が形成されているため、ドレンタンクに貯留されたドレンの液面が、その開口より下方に位置するまでドレン量が減少すると、この開口からドレンタンク内部の空気が流入路を介して連通部に向かうことになる。このとき、循環ポンプが作動していることから、連通部に到達した空気が周辺のドレンと共に循環ポンプまで到達する結果、この空気によるエア噛みを検知して循環ポンプを停止させることができる。
【００２９】
このようなことから、上記構成では、流入路における開口の位置を、ドレンの排出を終了させるべきドレンの量に応じた位置とすることにより、ドレンの排出をドレンタンクに貯留されたドレンの量が所望の下限値となったタイミングで終了させることができるようになる。
【００３０】
なお、上述した「エア噛みを検知して循環ポンプを停止させる手段」としては、循環ポンプ自体にそのような機能が備えられている場合であれば、その機能により停止させる手段を採用することができ、また、循環ポンプにより湯水を流通させる経路に水流スイッチが設けられている場合であれば、その水流スイッチにより湯水が流通しなくなったことが検知されたことをもって循環ポンプを停止させるといった手段を採用することができる。また、ドレン排出に伴い一時的にエアが循環路内に混入することになるが、前記循環制御手段による通水により当該エアを循環路から排除することができる。
【００３１】
また、上記各構成においては、循環路の下流側および、循環路から連通部を介してドレンタンクに向けて湯水を流通させて経路を洗浄する制御の開始タイミングについては、特に限定されないが、例えば、ドレンの排出が開始された以降のタイミング（ドレン排出動作中またはドレン排出完了後）、所定の時間毎、所定時刻、熱交換器の動作状態、ドレンタンクに貯留されたドレン量などに応じて開始することとすればよい。
【００３２】
また、上記各構成においては、経路の洗浄によって、ドレンタンクに一定量の湯水が貯留されることとなるため、この湯水を排出させることとしてもよい。
このための構成としては、上記各構成を以下に示す第６の構成（請求項６）のようにするとよい。
【００３３】
第６の構成において、前記排出制御手段は、前記洗浄制御手段による湯水の流通後、前記通水弁により前記通水路を閉鎖させ、かつ、前記ドレンタンクから前記連通部を経て前記循環路の下流側へと至る流通経路を前記経路形成部に形成させた状態で、前記循環ポンプを作動させることにより、前記ドレンタンクから前記連通部を介して前記循環路へと、該ドレンタンクに貯留された湯水を流通させる。
【００３４】
この構成であれば、経路の洗浄によりドレンタンクに貯留された湯水を排出することで、以降に発生しうるドレンを貯留できる容量を確保することができる。
なお、この構成においては、経路の洗浄の後で湯水が排出された後、再度、経路の洗浄が行われることとしてもよく、また、湯水の排出と経路の洗浄とからなるサイクルを、その時間を徐々に短くしながら複数回繰り返すことにより、最終的にドレンタンクに貯留される湯水の量を一定未満にすることとしてもよい。
【００３５】
また、上記各構成において、経路形成部は、流入路および排出路それぞれと循環路との連通部を介した流通経路を形成できれば、その具体的な構成は特に限定されない。例えば、連通部が、流入路および排出路それぞれを合流させて循環路に到達させる合流経路を有している場合であれば、上記各構成を以下に示す第７の構成（請求項７）のようにするとよい。
【００３６】
第７の構成においては、前記流入路および前記排出路それぞれと前記循環路との連通部は、前記流入路および前記排出路それぞれを合流させて前記循環路に到達させる合流経路を有し、前記経路形成部は、少なくとも、第１経路形成弁と、第２経路形成弁と、を有している。前記第１経路形成弁は、前記循環路と前記合流経路との連通部を、少なくとも、前記循環路における上流側および下流側の一方から他方へと至る流通経路、前記合流経路および前記循環路における下流側の一方から他方へと至る流通経路、のいずれかへと切り替える弁体であり、前記第２経路形成弁は、前記排出路において、前記合流経路から前記ドレンタンクへと向かう湯水の流通を阻止する弁体である。
【００３７】
そして、前記排出制御手段は、前記通水弁により前記通水路を閉鎖させた状態で、前記第１経路形成弁により、前記循環路と前記合流経路との連通部を、前記合流経路および前記循環路における下流側の一方から他方へと至る流通経路に切り替えさせた後、前記循環ポンプを作動させることにより、前記ドレンタンクから前記排出路および前記連通部を介して前記循環路へと、該ドレンタンクに貯留されたドレンを流通させて、前記洗浄制御手段は、前記通水弁により前記通水路を開放させて通水を行うことにより、前記循環路から前記連通部および前記流入路を介して前記ドレンタンクへと湯水を流通させる。
【００３８】
この構成であれば、第１経路形成弁および第２経路形成弁の機能により、流入路および排出路それぞれと循環路との連通部を介した流通経路を形成したうえで、経路洗浄を含むドレンの排出動作を実現することができる。
【００３９】
特に、排出路に設けられた第２経路形成弁により、排出路において合流経路からドレンタンクに向かう湯水の流通が阻止されるため、排出路の開閉制御を行うことなく、湯水の意図しない逆流を防止することができる。
【００４０】
また、この構成においては、以下に示す第８の構成（請求項８）のようにするとよい。
第８の構成において、前記経路形成部は、少なくとも、前記第１経路形成弁と、前記第２経路形成弁と、第３経路形成弁と、を有し、前記第３経路形成弁は、前記流入路において、前記ドレンタンクから前記合流経路へと向かう湯水の流通を阻止する弁体である。
【００４１】
この構成であれば、流入路に設けられた第３経路形成弁により、流入路においてドレンタンクから合流経路に向かうドレンの流通が阻止されるため、流入路の開閉制御を行うことなく、ドレンの意図しない逆流を防止することができる。
【００４２】
また、上記課題を解決するため第９の構成（請求項９）に係る給湯器は、外部から給水される水を供給するための経路であり、該経路の一部分に潜熱を回収する熱交換器を備えた給湯路と、通水弁を介して前記給湯路から供給された湯水を浴槽側に通水させる通水路と、前記浴槽に貯留された湯水を循環ポンプで循環させて前記浴槽へと戻す経路であり、該経路の一部分に熱交換器を備えると共に、該経路における一部の区間が前記通水路からの湯水を前記浴槽へと導く共有区間となっている循環路と、前記交換器から発生するドレンを貯留するドレンタンクと、上記第１から第８のいずれかの構成に係るドレン排出装置と、を備えている。
【００４３】
この構成に係る給湯器であれば、上記第１〜第８の構成と同様の作用、効果を奏する給湯器を得ることができる。
【図面の簡単な説明】
【００４４】
【図１】給湯器の全体構成を示す図である。
【図２】第１実施形態におけるドレン貯留部を示す図である。
【図３】ドレン排出制御を示すフローチャートである。
【図４】ドレン排出制御における湯水の流通状態を示す図である。
【図５】第１実施形態におけるドレン排出制御の変形例を示すフローチャートである。
【図６】第１実施形態におけるドレン貯留部の変形例を示す図である。
【図７】第２実施形態におけるドレン貯留部を示す図である。
【図８】第２実施形態におけるドレン貯留部の変形例を示す図である。
【図９】別の実施形態におけるドレン貯留部を示す図である。
【発明を実施するための形態】
【００４５】
以下に本発明の実施形態を図面と共に説明する。
（１）第１実施形態
（１−１）全体構成
第１実施形態に係る給湯器は、図１に示すように、給水された水を加熱して給湯する給湯部１と、浴槽２１０に貯留された水を保温する保温部３と、給湯部１および保温部３を接続する接続部５と、各部の動作を制御する制御部７と、給湯器において発生するドレンを貯留するドレン貯留部９と、を備えている。
【００４６】
給湯部１は、燃料ガスを燃焼させ燃焼ガスを発生させるガスバーナ１７、外部から給水される水が通水される給湯路１１、給湯路１１に設けられた状態で燃焼ガスから潜熱を回収し内部の通水に伝熱する副熱交換器１３、給湯路１１に設けられた状態で燃焼ガスから顕熱を回収し内部の通水に伝熱する主熱交換器１５、副熱交換器１３による潜熱の回収時に発生するドレン（窒素酸化物や硫黄酸化物を含有する酸性の凝縮水）を中和させるための中和器１９を備えている。
【００４７】
これらのうち、副熱交換器１３および主熱交換器１５は、給湯路１１における水流の上流から下流に向けて、副熱交換器１３、主熱交換器１５の順に配置されており、また、ガスバーナ１７による燃焼ガスの流れにおける上流から下流に向けて、主熱交換器１５、副熱交換器１３の順に配置されている。これにより、燃焼ガスの顕熱が燃焼ガスの上流側に配置された主熱交換器１５により回収され、燃焼ガスの潜熱（および主熱交換器１５で回収しきれなかった顕熱）が燃焼ガスの下流側に配置された副熱交換器１３により回収されることとなる。
【００４８】
また、給湯路１１には、給水源から順に、給水される水を濾過するストレーナ２５、給水される水の水量を検出する水量センサ２７、給湯路１１における水量を制御する水量制御弁２９が設けられている。
【００４９】
また、給湯路１１は、その下流側において給湯栓２２０へと湯水を供給すると共に、接続部５に対しても湯水を供給するように構成されている。この接続部５は、給湯路１１から供給される湯水を保温部３の浴槽２１０側に向けて通水する通水路５１、通水路５１を開閉して浴槽２１０側への通水を制御する通水弁５３を備えている。
【００５０】
保温部３は、浴槽２１０に貯留された湯水を循環させて浴槽へと戻すための循環路３１、浴槽２１０に貯留された水を浴槽２１０と循環路３１との間で循環させる循環ポンプ３３、循環路３１における循環ポンプ３３の下流側に設けられた水流スイッチ３５、循環路３１における下流側に設けられる熱交換器３７、循環路３１において熱交換器３７が設けられた経路を加熱するガスバーナ３９などで構成されている。なお、循環路３１における一部の区間は、通水路５１との共有区間Ａとなっている。
【００５１】
これらのうち、循環ポンプ３３は、循環路３１において水が循環する経路の上流側、具体的には通水路５１との共有区間Ａ、および、熱交換器３７の間に設けられている。
また、循環路３１には、循環路３１の下流側を浴槽２１０へと連通する流通経路、および、循環路３１を図示されない排水口へと連通する流通経路、のいずれかへと切り替える排水切替弁４１が設けられている。この排水切替弁４１は、初期状態で循環路３１を浴槽２１０へと連通する流通経路を形成しており、制御部７からの指令を受けて流通経路を切り替える。
【００５２】
制御部７は、内蔵するマイコンなどにより各部の動作を制御するコントローラ７１、台所などの浴室外でユーザの操作を受け付ける台所リモコン７３、浴室内でユーザの操作を受け付ける浴室リモコン７５などで構成されている。これらのうち、コントローラ７１は、内蔵するメモリに格納されたプログラムに従って、各部の動作を制御する。
【００５３】
ドレン貯留部９は、図２に示すように、給湯部１の副熱交換器１３から発生し中和器１９にて中和されたドレンを回収して貯留するドレンタンク９１、ドレンタンク９１へと湯水を流入させるべくドレンタンク９１の上部に一端が接続された流入路９３、ドレンタンク９１から湯水を排出させるべくドレンタンク９１の底部に一端が接続された排出路９５、流入路９３および排出路９５それぞれの他端側の流路を合流させて循環路３１に連通させる合流経路９７、流入路９３および排出路９５それぞれと循環路３１との連通部における流通経路を形成する経路形成部１００などを備えている。なお、ドレンタンク９１内部には、貯留されたドレン（または湯水）の量を検出する水位センサ９９が設けられている。
【００５４】
これらのうち、合流経路９７は、流入路９３および排出路９５それぞれの他端側を合流させてなる共有経路であって、流入路９３と排出路９５との双方の機能を果たすものであり、循環路３１に連通させることにより、流入路９３および排出路９５それぞれと循環路３１との連通部の一部をなすものである。なお、循環路３１に対する連通箇所については、特に限定されないが、本実施形態では、循環路３１における通水路５１との共有区間Ａに連通されている。
【００５５】
また、経路形成部１００は、上記連通部における流通経路として、排出路９５から連通部を経て循環路３１の下流側へと至る流通経路と、循環路３１の下流側から連通部を経て流入路９３へと至る流通経路と、を形成可能なものであればよく、本実施形態においては、図２（ａ）に示すように、第１経路形成弁１０１と、第２経路形成弁１０３と、第３経路形成弁１０５とにより、これら流通経路を形成可能に構成されている。
【００５６】
具体的にいえば、第１経路形成弁１０１は、上記連通部における流通経路を、少なくとも、循環路３１における上流側および下流側の一方から他方へと至る流通経路、合流経路９７および循環路３１における下流側の一方から他方へと至る流通経路、のいずれかへと切り替える弁体（いわゆる三方弁）である。この第１経路形成弁１０１は、初期状態で循環路３１における上流側および下流側の一方から他方へと至る流通経路を形成しており、制御部７（のコントローラ７１）からの指令を受けて流通経路を切り替える。また、第２経路形成弁１０３は、排出路９５において合流経路９７からドレンタンク９１へと向かう湯水の流通を阻止する弁体（いわゆる逆止弁）である。そして、第３経路形成弁１０５は、流入路９３においてドレンタンク９１から合流経路９７へと向かう湯水の流通を阻止する弁体（いわゆる逆止弁）である。
【００５７】
なお、経路形成部１００については、上述した構成の他、例えば、図２（ｂ）に示すように、流入路９３および排出路９５をそれぞれ閉鎖および開放する開閉式の弁体１０７，１０９を第２経路形成弁および第３経路形成弁として設けた構成としてもよい。この構成では、初期状態として、第２経路形成弁１０７および第３経路形成弁１０９のいずれか一方を開放し、他方を閉鎖した状態としておけばよい。
【００５８】
また、図２（ｃ）に示すように、第２経路形成弁１０３および第３経路形成弁１０５の代わりに、流入路９３および排出路９５が合流経路９７により合流されている箇所の流通経路を形成する第４経路形成弁１１１を設けた構成としてもよい。この第４経路形成弁１１１は、少なくとも、合流経路９７および流入路９３の一方から他方へと至る流通経路、排出路９５および合流経路９７の一方から他方へと至る流通経路、のいずれかへと切り替える弁体（いわゆる三方弁）であり、いずれかの流通経路を形成した状態を初期状態としておけばよい。
（１−２）ドレン排出制御
以下、ドレンタンク９１内に貯留されたドレンを排出する制御について図３に基づいて説明する。
【００５９】
上記構成に係る給湯器は、スタンバイ状態（電源オン）になって以降、コントローラ７１が各部の動作を制御し、下記のｓ１１０でドレンの排出を開始すべきタイミングになったと判定される都度、経路の洗浄を含むドレン排出制御を繰り返し行うように構成されている。以下、その手順について、図３に基づいて説明する。
【００６０】
まず、コントローラ７１は、ドレンタンク９１に貯留されたドレンの排出を開始すべきタイミングとなるまで待機状態となる（ｓ１１０：ＮＯ）。
本実施形態では、水位センサ９９からの出力結果に基づいて、ドレンタンク９１に貯留されたドレンの量がチェックされており、その量が所定のしきい値を超えていることをもってドレンの排出を開始すべきタイミングになったと判定される。なお、このタイミングになったとの判定は、ドレンの量だけではなく、例えば、所定の時刻になったこと、あらかじめ定められた時間が経過したこと、熱交換器１３，１５，３７への加熱などに基づく動作履歴が所定の内容となったこと、などに基づいて行うこととしてもよい。
【００６１】
その後、コントローラ７１は、上記ｓ１１０にてドレンの排出を開始すべきタイミングになったと判定したら（ｓ１１０：ＹＥＳ）、ドレンを排出すべく流通経路を形成する（ｓ１２０）。ここでは、通水弁５３により通水路５１を閉鎖させ、かつ、排出路９５から合流経路９７を経て循環路３１の下流側へと至る流通経路を経路形成部１００に形成させると共に、循環路３１の下流側を排水口へと連通する流通経路を排水切替弁４１に形成させた状態とするために、通水弁５３、経路形成部１００および排水切替弁４１に対する指令がなされることとなる。ただし、この時点で、既に形成されている流通経路に関する弁体に対しては、何らの指令も行われない。
【００６２】
なお、経路形成部１００に対する指令は、経路形成部１００の構成により異なる。例えば、逆止弁により第２経路形成弁１０３および第３経路形成弁１０５が構成されている場合（図２（ａ））、第１経路形成弁１０１に対し、合流経路９７および循環路３１における下流側の一方から他方へと至る流通経路を形成すべき指令のみがなされる。
【００６３】
また、開閉式の弁体により第２経路形成弁１０７および第３経路形成弁１０９が構成されている場合（図２（ｂ））、第１経路形成弁１０１に対し、上記と同様の指令がなされ、また、第２経路形成弁１０７が開放状態となり、第３経路形成弁１０９が閉鎖状態となるように指令がなされる。
【００６４】
また、第２経路形成弁１０３および第３経路形成弁１０５の代わりに第４経路形成弁１１１を設けた構成とした場合（図２（ｃ））、第１経路形成弁１０１に対し、上記と同様の指令がなされ、また、第４経路形成弁１１１に対し、排出路９５および合流経路９７の一方から他方へと至る流通経路を形成すべき指令がなされる。
【００６５】
こうして、ｓ１２０にて流通経路を形成させた後、コントローラ７１は、循環ポンプ３３を作動させることにより、形成された流通経路による湯水の流通を開始させる（ｓ１３０）。上記ｓ１２０では、ドレンタンク９１に接続された排出路９５から合流経路９７を経て循環路３１の下流側へと至る流通経路が形成されているため、こうして湯水の循環を開始させることにより、ドレンタンク９１に貯留されたドレンが循環路３１を経て排水口に向けて流通することになる（図４（ａ））。
【００６６】
次いで、循環路３１内にエアが混入したか否かを判断（ｓ１３５）し、エアの混入が検知された場合（ｓ１３５：ＹＥＳ）、後述のｓ１５０に移り、循環ポンプ３３の駆動を停止する。なお、エアの混入については、水流スイッチ３５のオンオフ状態を検知し、オフ状態になった場合に循環路３５内にエアが混入したと判断する方法、循環ポンプ３３の負荷を検知し、負荷がある一定以下になった際に、エアが混入したと判断する方法等が挙げられる。
【００６７】
エアの混入が認められない場合（ｓ１３５：ＮＯ）、湯水の流通を終了させるべきタイミングになったか否かを確認する（ｓ１４０）。
上記ｓ１３０にて開始した湯水の流通を終了させるべきタイミングとなるまで待機状態となる（ｓ１４０：ＮＯ）。
【００６８】
本実施形態では、水位センサ９９からの出力結果に基づくドレンの量が、０より大きい所定の下限値に到達したことをもって、湯水の流通を終了させるべきタイミングになったと判定される。この「下限値」は、排出路９５から循環ポンプ３３に至る流通経路にわたってドレンが十分に残っており、かつ、ドレンタンク９１に貯留されたドレンの量が最も少なくなる量として、あらかじめ定められたものである。なお、このタイミングになったことの判定は、ドレンの量だけではなく、例えば、既定の時刻になったこと、あらかじめ定められた時間が経過したこと、熱交換器１３，１５，３７への加熱などに基づく動作履歴が所定の内容となったこと、などに基づいて行うこととしてもよい。
【００６９】
このｓ１４０にて、湯水の流通を終了させるべきタイミングになったと判定された場合（ｓ１４０：ＹＥＳ）、コントローラ７１は、循環ポンプ３３の動作を停止させることにより、上記ｓ１２０にて形成された流通経路による湯水の流通を終了させる（ｓ１５０）。
【００７０】
次に、コントローラ７１は、ドレンの流通経路を洗浄する（ｓ２２０）。ここでは、流入路９３から合流経路９７を経て循環路３１に至り、循環路３１における下流側（循環ポンプ３１、熱交換器３７側）へと続く流通経路を経路形成部１００に形成させた状態とするために、経路形成部１００に対する指令がなされることとなる。ただし、この時点で、上記流通経路が形成されている場合には、経路形成部１００に対して何らの指令もなされない。
【００７１】
なお、経路形成部１００に対する指令は、上記ｓ１２０と同様、経路形成部１００の構成により異なる。例えば、逆止弁により第２経路形成弁１０３および第３経路形成弁１０５が構成されている場合（図２（ａ））、第１経路形成弁１０１に対し、合流経路９７および循環路３１における下流側の一方から他方へと至る流通経路を形成すべき指令のみがなされる。
【００７２】
また、開閉式の弁体により第２経路形成弁１０７および第３経路形成弁１０９が構成されている場合（図２（ｂ））、第１経路形成弁１０１に対し、上記と同様の指令がなされ、また、第２経路形成弁１０７が閉鎖状態となり、第３経路形成弁１０９が開放状態となるように指令がなされる。
【００７３】
また、第２経路形成弁１０３および第３経路形成弁１０５の代わりに第４経路形成弁１１１を設けた構成とした場合（図２（ｃ））、第１経路形成弁１０１に対し、上記と同様の指令がなされ、また、第４経路形成弁１１１に対し、流入路９３および合流経路９７の一方から他方へと至る流通経路を形成すべき指令がなされる。
【００７４】
こうして、上記ｓ２２０にて流通経路を形成させた後、コントローラ７１は、通水弁５３に通水路５１を開放させることにより、形成された流通経路への通水を開始させる（ｓ２３０）。上記ｓ２２０において、循環路３１の下流側からドレンタンク９１に接続された流入路９３へと至る流通経路が形成されているため、このｓ２３０にて通水を開始させることにより、循環路３１における下流側だけでなく、流入路９３および合流経路９７を経てドレンタンク９１側へ向けて湯水が流通することになる（図４（ｂ））。
【００７５】
上記ｓ２３０にて開始した通水を終了させるべきタイミングとなるまで待機状態となる（ｓ２４０：ＮＯ）。
本実施形態では、水位センサ９９からの出力結果に基づく洗浄水の量が所定の値以上になったことをもって通水を終了させるべきタイミングになったと判定される。この「所定の値」は、循環路３１、合流経路９７および流入路９３が十分に洗浄された場合にドレンタンク９１に流入すると想定される湯水の量として、あらかじめ定められたものである。なお、このタイミングになったことの判定は、洗浄水の量だけではなく、例えば、あらかじめ定められた時間が経過したこと、に基づいて行うこととしてもよい。
【００７６】
このｓ２４０にて、通水を終了させるべきタイミングになったと判定された場合（ｓ２４０：ＹＥＳ）、コントローラ７１は、通水弁５３に通水路５１を閉鎖させることにより、上記ｓ２２０にて形成された流通経路への通水を終了させる（ｓ２５０）。
【００７７】
こうして、通水が終了されたら、各弁体への指令が初期状態に戻された後（ｓ３１０）、プロセスがｓ１１０へと戻り、以降、ｓ１１０〜ｓ３１０が繰り返される。
（１−３）作用，効果
上記実施形態における給湯器であれば、排出路９５から合流経路９７を経て循環路３１の下流側へと至る流通経路を形成させた状態で、循環ポンプ３３を作動させることにより、ドレンタンク９１から合流経路９７を介して循環路３１へとドレンタンク９１に貯留されたドレンを流通させ、循環路３１の下流側から排出することができる（図４（ａ）参照）。
【００７８】
そして、流入路９３から合流経路９７を経て循環路３１に至り、循環路３１における下流側（循環ポンプ３１、熱交換器３７側）へと続く流通経路を形成させた状態で、通水路５１からの通水を行うことにより、循環路３１から合流経路９７を介してドレンタンク９１へと湯水を流通させることができる。こうして通水路５１から通水される湯水は、一部が循環路３１の下流側へ向かい、それ以外が循環路３１の上流側から合流経路９７および流入路９３を経てドレンタンク９１へと向かうことになるため（図４（ｂ）参照）、この湯水により、循環路３１においてドレンタンク９１に貯留されていたドレンが通過した経路をそれぞれ適切に洗浄することができる。また、経路の洗浄完了時に、循環路３１に直接接続される合流経路９７内を清潔な湯水で満たすことができる。このため、合流経路９７および循環路３１における下流側の一方から他方へと至る流通経路が形成された状態から、循環路３１における上流側および下流側の一方から他方へと至る流通経路が形成される状態へ移行する間に、ドレン貯留部９内のドレンが循環路内に混入するのを確実に防止することができる。
【００７９】
また、上記実施形態では、ドレンの排出を、ドレンタンク９１に貯留されたドレンの量が上限に達したタイミングで開始することができる（図３におけるｓ１１０で「ＹＥＳ」）。
【００８０】
また、上記実施形態では、経路の洗浄が、ドレンタンク９１に貯留されたドレン量が０より大きい下限値となったタイミングで開始されることから（図３におけるｓ１４０で「ＹＥＳ」）、合流経路９７を介して循環路３１へと至る一部経路に、下限値に応じた量のドレン（または湯水）が残された状態で経路の洗浄を開始させることができることになる。
【００８１】
そのため、上記実施形態のように、下限値として、循環路３１において循環ポンプ３３の設けられた経路までドレンが満たされたままとするのに充分な値を設定しておけば、再度、循環ポンプ３３を作動させるときに、循環ポンプ３３による適切な湯水の循環が循環路３１中の空気に妨げられる不具合（いわゆるエア噛みや異音）を防止することができる。
【００８２】
なお、センサ９９が故障した場合等、エアが循環路３１内に混入する可能性は絶無ではない（ｓ１４０：Ｙｅｓ）。しかし、仮にエアが混入したとしても、経路の洗浄時に通水路５１から供給される湯水により、当該エアを、循環路３１の下流側を経て図示されない排出口を介して、あるいは合流経路９７を経てドレンタンク９１を介して外部に排出し、循環路３１における循環ポンプ３３の周囲を湯水で満たすことができる。
【００８３】
また、上記実施形態では、第１経路形成弁１０１および第２経路形成弁１０３の機能により、流入路９３および排出路９５それぞれと循環路３１との合流経路９７を介した流通経路を形成したうえで、経路洗浄を含むドレン排出を実現することができる。
【００８４】
特に、排出路９５に設けられた第２経路形成弁１０３により、合流経路９７からドレンタンクに向かう湯水の流通が阻止されるため、排出路９５の開閉制御を行うことなく、湯水の意図しない逆流を防止することができる。
【００８５】
また、上記実施形態では、流入路９３に設けられた第３経路形成弁１０５により、ドレンタンク９１から合流経路９７に向かうドレンの流通が阻止されるため、流入路９３の開閉制御を行うことなく、ドレンの意図しない逆流を防止することができる。
（１−４）変形例
以上、本発明の第１実施形態について説明したが、本発明は、上記実施形態に何ら限定されることはなく、本発明の技術的範囲に属する限り種々の形態をとり得ることはいうまでもない。
【００８６】
例えば、上記実施形態においては、循環路３１から合流経路９７を介してドレンタンク９１へと湯水を流通させる経路の洗浄によって、ドレンタンク９１に一定量の湯水が貯留されることとなるため、この湯水を排出させることとしてもよい。
【００８７】
具体的には、図５に示すように、ｓ２２０〜ｓ２５０が行われた後で、再度、ｓ１２０〜ｓ１５０が行われるようにするとよい。
このように構成すると、後で行われる経路洗浄によりドレンタンク９１に貯留された湯水を排出することにより、以降に発生しうるドレンを貯留できる容量を確保することができる。
【００８８】
なお、この構成では、経路の洗浄によりドレンタンクに貯留された湯水が排出された後、再度、経路の洗浄が行われることとしてもよく、また、湯水の排出と経路の洗浄とからなるサイクルを、その動作時間を徐々に短くしながら複数回繰り返すことにより、最終的にドレンタンク９１に貯留される湯水の量を一定未満にし、ドレンの貯留領域を確保することとしてもよい。
【００８９】
また、上記実施形態では、流入路９３がドレンタンク９１の上部に接続されている構成を例示した。しかし、この流入路９３は、ドレンタンク９１の底部に接続されたものとしてもよい。この場合、図６（ａ），（ｂ）に示すように、第３経路形成弁１０５，１０９の代わりに、流入路９３の一部区間を他よりも小径の絞り部９３ａを形成した構成とすると、弁体を削減しつつ同様の作用効果を得ることができるため好適である。
（２）第２実施形態
（２−１）全体構成
次に、第２実施形態に係る給湯器について説明する。
【００９０】
第２実施形態に係る給湯器は、上記実施形態と同様、給湯部１と、保温部３と、接続部５と、制御部７と、ドレン貯留部９と、を備えており、一部構成が上記実施形態と異なっているだけのものであるため、この相違点についてのみ詳細に説明する。
【００９１】
また、ドレン貯留部９は、図７に示すように、ドレンタンク９１内部における底面から所定高さ離れた位置に、流入路９３における端部開口が接続されている。
ドレン貯留部９における経路形成部１００は、排出路９５から連通部を経て循環路３１の下流側へと至る流通経路と、循環路３１の下流側から連通部を経て流入路９３へと至る流通経路とを、図７（ａ）に示すように、第１経路形成弁１０１と、第２経路形成弁１０３と、とにより、形成可能に構成されている。
【００９２】
具体的にいえば、第１経路形成弁１０１は、上記実施形態と同様の弁体（三方弁）であり、第２経路形成弁１０３は、排出路９５において合流経路９７からドレンタンク９１へと向かう湯水の流通を阻止する弁体（逆止弁）である。
【００９３】
なお、経路形成部１００については、上述した構成の他、例えば、図７（ｂ）に示すように、排出路９５を閉鎖および開放する開閉式の弁体１０７を第２経路形成弁として設けた構成としてもよい。この構成では、初期状態として、第２経路形成弁１０７を閉鎖した状態としておけばよい。
（２−２）ドレン排出制御
本実施形態におけるドレン排出制御では、上記実施形態と同様に、ｓ１１０〜ｓ１３０が行われた後、ｓ１４０で湯水流通の終了タイミングとなるまで待機状態となるが（ｓ１４０：ＮＯ）、ここでは、水流スイッチ３５がオフ状態となり、循環ポンプ３３による適切な湯水の循環が循環路３１中の空気に妨げられる程度まで循環路３１における水流が少なくなった（いわゆるエア噛みが発生した）ことをもって、湯水流通の終了タイミングになったものと判定される。つまり、本実施形態においては、ドレン量が下限値に到達したことを検出する水位センサ９９は必要としない（図７における破線部分参照）。
【００９４】
なお、ここでは、循環ポンプ３３がエア噛みを検知して動作を自動停止させる機能を有している場合には、この機能により動作が自動停止したことをもって、湯水流通の終了タイミングになったものと判定すればよい。この場合、その後のｓ１５０は行われない。
【００９５】
上記ｓ１４０で湯水の流通を終了させるべきタイミングになったと判定された場合（ｓ１４０：ＹＥＳ）、コントローラ７１は、循環ポンプ３３の動作を停止させた後（ｓ１５０）、流通経路を洗浄すべく流通経路を形成する（ｓ２２０）。ここでは、循環路３１の下流側から流入路９３へと至る流通経路を経路形成部１００に形成させた状態とするために、経路形成部１００に対する指令がなされることとなる。
【００９６】
なお、経路形成部１００に対する指令は、上記実施形態と同様、経路形成部１００の構成により異なる。例えば、逆止弁により第２経路形成弁１０３が構成されている場合（図７（ａ））、第１経路形成弁１０１に対し、合流経路９７および循環路３１における下流側の一方から他方へと至る流通経路を形成すべき指令のみがなされる。
【００９７】
また、開閉式の弁体により第２経路形成弁１０７が構成されている場合（図７（ｂ））、第１経路形成弁１０１に対し、上記と同様の指令がなされ、また、第２経路形成弁１０７が閉鎖状態となるように指令がなされる。
【００９８】
こうして、上記ｓ２２０にて流通経路を形成させた後、上記実施形態と同様、ｓ２３０〜ｓ３１０が行われ、以降、ｓ１１０〜ｓ３１０が繰り返される。
（２−３）作用，効果
上記実施形態では、ドレンタンク９１内部における底面から所定高さ離れた位置に、流入路９３における端部開口が接続されているため、ドレンタンク９１に貯留されたドレンの液面が、開口端部より下方に位置するまでドレン量が減少すると、この開口端部からドレンタンク９１内部の空気が流入路９３を介して合流経路９７に向かうことになる。このとき、循環ポンプ３３が作動していることから、合流経路９７に到達した空気が水流スイッチ３５に到達する結果、この空気によるエア噛みを水流スイッチ３５により検知して循環ポンプ３３を停止させ、経路の洗浄を開始させることができる。
【００９９】
なお、循環路に混入したエアについては、経路の洗浄の際に通水路５１から供給される湯水により循環路３１から排除される。したがって、循環路３１に混入したエアが、循環ポンプ３３の駆動に悪影響を及ぼすことはない。
【０１００】
このようなことから、本実施形態では、流入路９３における端部開口の接続位置を、循環ポンプ３３を停止させるべきドレン量に応じた位置とすることにより、ドレンタンク９１に貯留されたドレン量が所望の下限値となったタイミングで意図的にエア噛みを引き起こして循環ポンプ３３を停止させ、経路の洗浄を開始させることができる。
（２−４）変形例
以上、本発明の第２実施形態について説明したが、本発明は、上記実施形態に何ら限定されることはなく、本発明の技術的範囲に属する限り種々の形態をとり得ることはいうまでもない。
【０１０１】
例えば、上記実施形態では、ドレンタンク９１内部における底面から所定高さ離れた位置に流入路９３における端部開口が接続されている構成を例示した。しかし、この流入路９３は、この例のような接続状態に限らず、例えば、図８（ａ），（ｂ）に示すように、ドレンタンク９１内部にまで侵入しており、流入路９３の内外を連通する開口（ここでは開口端面）が、少なくともドレンタンク９１内部における底面から所定高さ離れた位置に形成されている、といった構成としてもよい。
【０１０２】
この構成においても、ドレンタンク９１内部における底面から所定高さ離れた位置に、ドレンタンク９１内部と流入路９３とを連通する開口が形成されているため、ドレンタンク９１に貯留されたドレンの液面が、その開口より下方に位置するまでドレン量が減少すると、この開口からドレンタンク９１内部の空気が流入路を介して合流経路９７に向かうことになる。これにより、その空気によるエア噛みを水流スイッチ３５により検知して循環ポンプ３３を停止させることができる。つまり、流入路９３における開口の位置を、循環ポンプ３３を停止させるべきドレン量に応じた位置とすることにより、ドレンタンク９１に貯留されたドレン量が所望の下限値となったタイミングで循環ポンプ３３を停止させ、経路の洗浄を開始させることができるようになる。
【０１０３】
したがって、ドレンの下限値を検出するための電極等が不要となり、装置構成の簡素化を図ることができる。また、ドレンの排出をドレン貯留量でなく、所定の時刻になったこと、あらかじめ定められた時間が経過したこと、利用者の操作等で、ドレンの貯留量によらずに開始するように構成すれば、上限値を検出するための構成についても不要となるので、装置構成の更なる簡素化を図ることができる。
（３）その他の実施形態
以上、本発明の実施の形態について説明したが、本発明は、上記実施形態に何ら限定されることはなく、本発明の技術的範囲に属する限り種々の形態をとり得ることはいうまでもない。
【０１０４】
例えば、上記各実施形態においては、流入路９３および排出路９５が合流経路９７を介して循環路３１に連通されている構成を例示した。しかし、流入路９３および排出路９５は、合流経路９７を介することなく、循環路３１に接続された構成としてもよい。
【０１０５】
この場合、例えば、図９（ａ）に示すように、第１経路形成弁１０１と同様の弁体（つまり三方弁）である第５経路形成弁１１３により、循環路３１における第１経路形成弁１０１と浴槽２１０との間に流入路９３を連通させたうえで、ドレン排出制御を以下のように行うように構成するとよい。
【０１０６】
このドレン排出制御では、まず、ｓ１２０にてドレンを排出すべく流通経路を形成するにあたり、第１経路形成弁１０１に対して、排出路９５および循環路３１における下流側の一方から他方へと至る流通経路を形成すべき指令がなされ、第５経路形成弁１１３に対して、循環路３１における上流側および下流側の一方から他方へと至る流通経路を形成すべき指令がなされる。
【０１０７】
そして、ｓ２２０にて経路を洗浄すべく流通経路を形成するにあたり、第１経路形成弁１０１に対して、循環路３１における上流側および下流側の一方から他方へと至る流通経路を形成すべき指令がなされ、第５経路形成弁１１３に対して、流入路９３および循環路３１における下流側の一方から他方へと至る流通経路を形成すべき指令がなされる。
【０１０８】
また、上記各実施形態においては、流入路９３および排出路９５がそれぞれ別の経路としてドレンタンク９１に接続された構成を例示した。しかし、これら流入路９３および排出路９５は、一部区間を共通する経路となるように構成してもよい。
【０１０９】
具体的な例としては、図９（ｂ），（ｃ）に示すように、流入路９３においてドレンタンク９１に接続される側の区間を、排出路９５と共通する経路として構成することが考えられ、この場合、第３経路形成弁１０５，１０９の代わりに、流入路９３の一部区間を他よりも小径の絞り部９３ａを形成した構成とすると、弁体を削減しつつ同様の作用効果を得ることができるため好適である。
【０１１０】
また、上記各実施形態においては、ドレン貯留部９のドレンタンク９１が給湯部１における副熱交換器１３から発生するドレンが回収されてドレンタンク９１に貯留される構成を例示したが、保温部３における熱交換器３７として潜熱を回収するものが採用されている場合には、ドレンタンク９１に、保温部３側の熱交換器３７から発生するドレンも回収して貯留されるように構成してもよい。
【０１１１】
また、上記各実施形態においては、ドレン貯留部９およびドレン排出制御（のプログラム）があらかじめ給湯器に実装された構成を例示したが、これらは、別体の装置に実装されたもの（本発明におけるドレン排出装置）を給湯器に接続することで、本発明における給湯器が構成されるものとしてもよい。
【０１１２】
また、上記各実施形態においては、循環路３１に設けられた排水切替弁４１により、循環路３１を流通してきたドレン（または湯水）が排出される構成を例示したが、排水切替弁４１への指令を行うことなく、浴槽２１０に設けられている排水口から排出するようにしてもよい。
【０１１３】
また、上記各実施形態においては、ドレン貯留部９が予め組み込まれた給湯器について説明したが、既存の給湯器にドレン貯留部を後付けし、該給湯器のコントローラあるいは別体のコントローラにドレン貯留部の制御プログラムを組み込んだものであっても、上記各実施形態と同様の作用効果を奏し得るのは言うまでもない。
（４）本発明との対応関係
以上説明した実施形態において、ドレン貯留部９およびコントローラ７１が本発明におけるドレン排出装置である。
【０１１４】
また、ドレン排出制御におけるｓ１１０および水位センサ９９が本発明におけるドレン検出手段であり、ドレン排出制御におけるｓ１２０〜ｓ１５０が本発明における排出制御手段であり、同ｓ２２０〜ｓ２５０が本発明における洗浄制御手段である。
【符号の説明】
【０１１５】
１…給湯部、３…保温部、５…接続部、７…制御部、９…ドレン貯留部、１１…給湯路、１３…副熱交換器、１５…主熱交換器、１７…ガスバーナ、１９…中和器、２５…ストレーナ、２７…水量センサ、２９…水量制御弁、３１…循環路、３３…循環ポンプ、３５…水流スイッチ、３７…熱交換器、３９…ガスバーナ、４１…排水切替弁、５１…通水路、５３…通水弁、７１…コントローラ、７３…台所リモコン、７５…浴室リモコン、９１…ドレンタンク、９３…流入路、９３ａ…絞り部、９５…排出路、９７…合流経路、９９…水位センサ、１００…経路形成部、１０１…第１経路形成弁、１０３…第２経路形成弁、１０５…第３経路形成弁、１０７…第２経路形成弁、１０９…第３経路形成弁、１１１…第４経路形成弁、１１３…第５経路形成弁、２１０…浴槽、２２０…給湯栓、Ａ…共有区間。
【図１】
0005123405.tif 000002
【図２】
0005123405.tif 000003
【図３】
0005123405.tif 000004
【図５】
0005123405.tif 000005
【図６】
0005123405.tif 000006
【図７】
0005123405.tif 000007
【図８】
0005123405.tif 000008
【図９】
0005123405.tif 000009
【図４】
0005123405.tif 000010